(57)【要約】      （修正有）【課題】パチンコ釘の打込み抵抗を軽減する弾球遊技機用の釘を提供する。【解決手段】釘先端の円錐状の尖り部１０の円錐面に、円錐頂部側が幅狭となった凹み部８を周方向に等間隔に形成する。釘１先端の円錐状の尖り部１０の円錐面に形成されている、円錐頂部側が幅狭となった凹み部８によって、釘１の打込み抵抗が軽減される。凹み部８は円周方向に等間隔に設けられているから、釘１を軸芯方向に殴打して打設する際、釘１に偏荷重が作用することを抑えることができ、真直ぐに打ち込むことができる。【選択図】図１
0003142802.tif 000002
【実用新案登録請求の範囲】
【請求項１】
弾球遊技機用のパネル(６)に打ち付けて弾球(７)の通路を形成するための釘(１)であって、
釘(１)先端部に少なくとも一部が円錐状の尖り部(10)の円錐面に掛かって、円錐頂部側に長い凹み部(８)が周方向に等間隔に形成されている、弾球遊技機用の釘。
【請求項２】
各凹み部(８)は釘(１)の軸芯を含む面で左右対称である、請求項１に記載の弾球遊技機用の釘。
【請求項３】
凹み部(８)の開口形状は、２本の対角線が直角に交わり、１つの対角線は釘(１)の軸芯を含む面内にある四角形であり、凹み部(８)は開口縁に連続する４つの三角形の面(81)(81)(82)(82)で形成され、４つの面(81)(81)(82)(82)が交わる交点(83)が最も深くなっている、請求項１又は２に記載の弾球遊技機用の釘。
【請求項４】
円錐状の尖り部(10)及び凹み部(８)は転造加工によって形成されている、請求項１乃至３の何れかに記載の弾球遊技機用の釘。
【請求項５】
釘軸部(３)に先端尖り部(10)に接近して軸部(３)を太くした抜止め部(５)が形成されている、請求項１乃至４の何れかに記載の弾球遊技機用の釘。
【請求項６】
釘軸部(３)は先端尖り部(10)の反対側が弾球当り部(31)となり、該弾球当り部(31)と尖り部(10)との間には、釘軸部(３)がパネル(６)に入り込む境界領域にわたって、弾球当り部(31)の直径よりも外形寸法を大きくし断面係数を増した補強部(４)が形成されている、請求項１乃至５の何れかに記載の弾球遊技機用の釘。
【請求項７】
請求項１乃至６の何れかに記載の釘をパネル(６)に打設してなる釘列によって弾球(７)の通路を形成している、弾球遊技機。
【考案の詳細な説明】
【技術分野】
【０００１】
本考案は、パチンコ機、スマートボール機等の弾球遊技機及び該弾球遊技機に用いる釘に関するものである。
【背景技術】
【０００２】
パチンコ機の釘は、パネルに打ち込んで弾球の通路を形成するものであり、釘の打設に高い位置精度が要求される。
釘を決められた位置に正しく打設するには、釘の尖り部が、釘の軸芯を含むどの面で切断しても一様断面形状となっていることが重要である。
【０００３】
一般釘は、釘の材料線を切断するのに用いる切断ダイスによって先端を角錐状に形成されおり、釘の軸芯を含むどの面で切断しても一様断面形状となる条件を満足できない。しかも先端頂部が釘の軸芯に位置する保証もない。
そのため、パチンコ釘では先端尖り部は、平行ダイス又はロータリーダイスによって、釘を転動させながら先端を円錐状に形成して、釘の軸芯を含むどの面で切断しても一様断面形状となる条件を満足している。
【０００４】
又、パチンコ釘は、弾球が繰り返し衝突することによって弛み易く、抜け易くなる。そのため、釘軸部の先端側に転造加工によって軸部を太くした抜止め部を形成することが行われている。
【考案の開示】
【考案が解決しようとする課題】
【０００５】
円錐状に尖った釘は、一般釘の様に角錐状に尖った釘に較べて、尖り部の高さが同じであれば、打込み抵抗が大きく、又、太径の抜止め部の存在によって、更に打込み抵抗が大きくなる。そのため、釘をパネルに打込む際に、釘が曲がってしまうトラブルも生じている。
本考案は、釘先端の円錐状の尖り部に、打込み抵抗を軽減する工夫を施した釘及び該釘を用いた弾球遊技機を明らかにするものである。
【課題を解決するための手段】
【０００６】
請求項１は、弾球遊技機用のパネル(６)に打ち付けて弾球(７)の通路を形成するための釘(１)であって、
釘(１)先端部に少なくとも一部が円錐状の尖り部(10)の円錐面に掛かって、円錐頂部側に長い凹み部(８)が周方向に等間隔に形成されている。
【０００７】
請求項２は、請求項１の釘(１)において、各凹み部(８)は釘(１)の軸芯を含む面で左右対称である。
【０００８】
請求項３は、請求項１又は２の釘(１)において、凹み部(８)の開口形状は、２本の対角線が直角に交わり、１つの対角線は釘(１)の軸芯を含む面内にある四角形であり、凹み部(８)は開口縁に連続する４つの三角形の面(81)(81)(82)(82)で形成され、４つの面(81)(81)(82)(82)が交わる交点(83)が最も深くなっている。
【０００９】
請求項４は請求項１乃至３の釘において、円錐状の尖り部(10)及び凹み部(８)は転造加工によって形成されている。
【００１０】
請求項５は請求項１乃至４の釘において、釘軸部(３)に先端尖り部(10)に接近して軸部(３)を太くした抜止め部(５)が形成されている。
【００１１】
請求項６は請求項１乃至５の釘において、釘軸部(３)は先端尖り部(10)の反対側が弾球当り部(31)となり、該弾球当り部(31)と尖り部(10)との間には、釘軸部(３)がパネル(６)に入り込む境界領域にわたって、弾球当り部(31)の直径よりも外形寸法を大きくし断面係数を増した補強部(４)が形成されている。
【００１２】
請求項７の弾球遊技機は、請求項１乃至６の何れかに記載の釘をパネル(６)に打設してなる釘列によって弾球(７)の通路を形成している。
【考案の効果】
【００１３】
請求項１の釘(１)は、釘(１)先端の円錐状の尖り部(10)の円錐面に形成されている、円錐頂部側に長い凹み部(８)によって、釘(１)の打込み抵抗が軽減される。
凹み部(８)は円周方向に等間隔に設けられているから、釘(１)を軸芯方向に殴打して打設する際、釘(１)に偏荷重が作用することを抑えることができ、真直ぐに打ち込むことができる。
【００１４】
請求項２の釘(１)の凹み部(８)の開口形状は、釘(１)の軸芯を含む面で左右対称であるから、釘(１)を打込む際に、釘(１)に偏荷重が作用することを無くすことができる。
【００１５】
請求項３の釘(１)の凹み部(８)の形状は、釘(１)先端の尖り部(10)の先端に向けて鋭く尖る様に凹んでいるから、相手パネル(６)への食い込みが良好となる。
【００１６】
請求項４の釘(１)は、釘先端の尖り部(10)及び凹み部(８)は転造加工によって一工程で形成することができ、製造コストの上昇を抑えることができる。
【００１７】
請求項５の釘(１)は、抜止め部(５)がパネル(６)に強く食い込んで、釘(１)の弛みを抑えて抜け止めに効果的である。
【００１８】
請求項６の釘(１)は、弾球(７)が衝突したとき応力が集中する、パネル(６)表面と交叉する境界部分に大径の補強部(４)が形成されているから、釘(１)に繰り返し弾球(７)が衝突して金属疲労を起こすことに対する耐久性が増す。従って、釘(１)の折損を抑えて寿命を延ばすことができる。
弾球(７)は、釘(１)の弾球当り部(31)に当たって、該弾球当り部(31)より太い補強部(４)には当たらないから、球筋が予測外に変化することを防止できる。
【００１９】
請求項７の弾球遊技機は、請求項１と同様の効果を奏する。
【考案を実施するための最良の形態】
【００２０】
実施例の弾球遊技機は、パチンコ機であって、図１はパチンコ機のパネル(６)と、該パネル上に弾球(７)の通路を形成するために打ち込まれた釘列の内の１本の釘(１)を示し、他の釘は省略している。
【００２１】
弾球(７)は、直径１１mmの鋼球である。
【００２２】
パネル(６)は全厚が約１８mmであって、パネル全厚の２／３程度を占めるパネル本体(61)と、該パネル本体の釘込み側面に形成された緩衝層(62)と、該緩衝層に貼着された化粧シート(63)とからなる。
【００２３】
パネル本体(61)は、パチンコ機のパネルに要求される硬さと、釘(１)に対する保持力を満たせば、木材、紙材、樹脂材等、材質は問わない。
【００２４】
緩衝層(62)は厚み２乃至５mmであり、コルクボード、圧縮サイザル麻ボード、合成樹脂板、ゴム板等の緩衝材をパネル本体(61)に貼着して形成されている。
緩衝層(62)は、手指で押しても容易に凹むことのない硬さを有しているが、パネル本体(61)よりも軟質であり、弾球(７)が釘(１)に衝突した際に、パネル(６)表面と釘(１)が交叉する境界領域にて釘(１)の振れを微少ながら許容して、当該箇所で釘(１)に応力が集中することを軽減する。
【００２５】
化粧シート(63)は、装飾図柄が印刷され、上記緩衝層(62)の緩衝効果を損なわない可撓性を有する樹脂製のシートである。
【００２６】
釘(１)は真鍮若しくは同等の硬さを有する金属製であり、頭部(２)に連続する軸部(３)の先端に円錐状の尖り部(10)を有している。該尖り部(10)は本考案の特徴とするものであり、詳細は後述する。
釘(１)の全長は約３３mmで、パネル(６)に予め施された貫通下孔(64)に、釘先端から１７mm程度の深さで打ち込まれている。
【００２７】
釘(１)の軸部(３)は一様太さではなく、頭部(２)に連続して細径の弾球当り部(31)、略中央部に弾球当り部(31)より僅か大径の補強部(４)、更に尖り部(10)に接近して補強部(４)と略同径の抜止め部(５)が形成されている。
実施例では、抜止め部(５)の外径及び補強部(４)の外径は２mmである。尖り部(10)を除き弾球当り部(31)を含むその他の部分の外径は１.８５mmであり、これは従前のパチンコ機用の釘の太さと同じである。
【００２８】
抜止め部(５)は、釘(１)の先端尖り部(10)に連続しており、螺旋状に膨らみ条(51)を施して形成されている。
抜止め部(５)は、その膨らみ条(51)が下孔(64)にきつく食い込むことにより、釘(１)を抜け難くする役割を成す。
【００２９】
補強部(４)は、図１に示す様に、釘(１)がパネル(６)に規定深さに打ち込まれた状態において、パネル(６)表面から臨出し且つ該パネルの緩衝層(62)に侵入する範囲に形成される。
補強部(４)のパネル表面からの臨出高さｈは、パネル表面を移動する弾球(７)の半径より小さく、弾球(７)が補強部(４)に当たらない臨出高さである。
実施例では、補強部(４)の全長は約５mm、補強部(４)のパネル表面からの臨出高さｈは約２.５mmである。
実施例の補強部(４)は、釘(１)の軸芯に沿う方向に延びる凸条(41)と凹条(42)を周方向に等間隔に交互に設けて形成されている。
【００３０】
図２に示す如く、前記した釘(１)先端の円錐状の尖り部(10)と抜止め部(５)との間に、弾球当たり部(31)と同じ太さの短軸部(63)が存在し、該短軸部(63)と円錐尖り部(10)に跨って、円錐頂部側へ長く且つ尖っている複数の凹み部(８)が周方向に等間隔に形成されている。
各凹み部(８)は釘(１)の軸芯を含む面で左右対称である。
実施例の凹み部(８)の開口形状は、所謂「凧形」の四角形である。具体的には、凹み部(８)開口の長短２本の対角線が直角に交わり、長い方の対角線は釘(１)の軸芯を含む面内にあり、短い方の対角線は、前記短軸部(63)と円錐状尖り部(10)の境界に位置しており、釘(１)の軸芯に沿う方向に長い四角形である。
凹み部(８)は開口縁に連続する４つの三角形の面(81)(81)(82)(82)で形成され、４つの面(81)(81)(82)(82)が交わる交点(83)が最も深くなっている。
【００３１】
上記した釘軸部(３)上の補強部(４)、抜止め部(５)、円錐状尖り部(10)及び凹み部(８)は、平行ダイス又はロータリーダイスによって、一工程で転造加工が可能である。
補強部(４)及び前記抜止め部(５)は、転造によって外形寸法を大きくし断面係数を増している。
【００３２】
然して、本考案の釘(１)は、釘(１)先端の円錐状の尖り部(10)の円錐面に形成されている、円錐頂部側が幅狭となった凹み部(８)によって、釘(１)の打込み抵抗が軽減される。
凹み部(８)は円周方向に等間隔に設けられているから、釘(１)を軸芯方向に殴打して打設する際、釘(１)に偏荷重が作用することを抑えることができ、真直ぐに打ち込むことができる。
【００３３】
釘(１)の凹み部(８)の開口形状は、釘(１)の軸芯を含む面で左右対称であるから、釘(１)を打込む際に、釘(１)に偏荷重が作用することを無くすことができる。
又、凹み部(８)の形状は、釘(１)先端の尖り部(10)の先端に向けて鋭く尖る様に凹んでいるから、相手パネル(６)への食い込みが良好となる。
【００３４】
釘(１)には、弾球(７)が衝突したときに応力が集中する、釘軸部(３)のパネル(６)表面との交叉する部分に外径寸法の大きい補強部(４)が形成されているから、釘(１)に繰り返し弾球(７)が衝突して金属疲労を起こすことに対する耐久性が増す。従って、釘(１)の折損を抑えて寿命を延ばすことができる。
補強部(４)は、パネル(６)の表面上の弾球(７)が当たらない範囲に形成されているから、弾球(７)が補強部(４)に当たって、球筋が予測外に変化することを防止できる。
【００３５】
尚、仮に釘(１)の軸部(３)全体を補強部(４)の外径寸法と同じ太い直径にし、釘(１)の金属疲労に対する耐久性を向上させることも考えられるが、パネル(６)上に弾球(７)の通路をデザインする際、弾球(７)がどの釘に当たって、どの様に軌道が変化するのかは、膨大なデータによってシュミレーションして決定されている。そのデータには釘の太さも非常に大きな要素して含まれているから、釘の太さを変えることは、データを作り直すことを意味し、対応に大きなコストが伴い、実施は難しい。
実施例の場合、釘(１)の弾球(７)が当たる弾球当り部(31)の太さは従前のままであり、球筋のシュミレーションに大きな問題は生じない。
【００３６】
補強部(４)は、釘軸部(３)を部分的に転造して大径に形成するから、鍛流線は切れずに補強部の形状に沿って存在し、補強部(４)の耐久性の向上に一層寄与する。
【００３７】
補強部(４)は、釘(１)の軸芯に沿う方向に延びる凸条(42)が、釘(１)に対する曲げ力の抵抗となるリブの役割を成し、耐久性は一層向上する。
【００３８】
パネル(６)は、パネル本体(61)の釘打込み側の面に緩衝層(62)を有し、釘(１)の補強部(４)は該緩衝層(62)に食い込んでいるから、釘(１)の弾球(７)が衝突した際の衝撃を緩衝層(62)が和らげて、金属疲労の限界を遅らせることができ、釘(１)の寿命延長に一層効果的である。
【００３９】
釘軸部(３)上の補強部(４)、抜止め部(５)、円錐状尖り部(10)及び凹み部(８)は、平行ダイス又はロータリーダイスによって、一工程で転造加工が可能であるから、製造コストの上昇を抑えることができる。
【００４０】
尚、パネル(６)に打つ込む釘列の全ての釘に本考案の釘を用いることは必ずしも必要ではなく、弾球(７)が強く衝突し易い位置の釘だけに本考案を実施することで、当該釘の折損を抑えることができる。
【００４１】
本考案の先端円錐状の尖り部(10)の円周面に凹み部(８)を有する釘(１)は、図５に示す如く、前記補強部(４)の存在しない釘にも実施可能である。
更に、抜止め部(５)の存在しない釘にも実施可能であるのは勿論である。
本考案の釘(１)は、図５に示す、前記緩衝層(62)の存在しない従前の弾球遊技機パネル(６)に打設することができるのは勿論である。
【００４２】
上記説明は、本考案を説明するためのものであって、実用新案登録請求の範囲に記載の考案を限定し、或は範囲を減縮する様に解すべきではない。又、本考案の各部構成は上記実施例に限らず、実用新案登録請求の範囲に記載の範囲内で種々の変形が可能であることは勿論である。
【００４３】
例えば本考案は、パチンコ機のみならず、スマートボール機等、釘列によって、弾球の通路を成する弾球遊技機に実施できる。
【図面の簡単な説明】
【００４４】
【図１】パネルに釘を打ち込んだ状態の断面図である。
【図２】釘先端部の拡大図である。
【図３】図２の縦断面図である。
【図４】図２Ａ−Ａ線に沿う断面図である。
【図５】従来のパネルに本考案の他の実施例の釘を打ち込んだ状態の断面図である。
【符号の説明】
【００４５】
１  釘
２  頭部
３  軸部
４  補強部
５  抜止め部
６  パネル
61  パネル本体
62  緩衝層
63  化粧シート
８  凹み部
【図１】
0003142802.tif 000003
【図２】
0003142802.tif 000004
【図３】
0003142802.tif 000005
【図４】
0003142802.tif 000006
【図５】
0003142802.tif 000007